(57)【特許請求の範囲】
【請求項１】
ポータブル情報デバイスであって、
ハウジングであって、該ハウジングは、ディスプレイにより少なくとも部分的に定められた上面と、中央領域を有する底面であって、前記中央領域において、光学センサ、電気コネクタ及びデータ・コネクタが位置する、前記底面とを含み、プロセッサが設けられた内部容積を囲み、前記上面及び底面は、それらの間に広がる周囲側端により結合され、前記光学センサは、ユーザのバイオメトリック・パラメータを、前記デバイスを前記ユーザが着用しているときに測定するように構成された、前記ハウジングと、
前記ハウジングの表面に形成されたマウンティング構造であって、前記ハウジングから突き出る凸を含む前記マウンティング構造と
を有する前記ポータブル情報デバイスと、
フレームを有するバンドであって、前記フレームは前記バンドにおける空洞を取り囲み、前記フレームは、前記ハウジングの前記周囲側端を取り囲む補完的形状を有し、前記マウンティング構造を受けるように構成され、前記フレームは、該フレームの側面に形成され、前記空洞に通じる開口を有する凹を含み、前記フレーム及びマウンティング構造は、少なくともある力が加わることに基づく前記凸と前記凹の係合及び係合解除を介して解除可能なように固定可能であり、前記フレームが前記マウンティング構造に固定されたときに、前記ハウジング及び前記マウンティング構造は前記フレームにある向きで結合し、前記ある向きは、前記ハウジング及び前記マウンティング構造が前記空洞に及び、前記ポータブル情報デバイスの前記ディスプレイが、前記フレーム内に、前記空洞の少なくとも一部を占め、前記空洞から上方へと向くように位置する向きであり、前記ハウジング及びマウンティング構造の前記空洞への進入は、前記ハウジング及びマウンティング構造の前記フレームの表面との接触により止まる、前記バンドと
を含むパーソナル情報システム。
【請求項２】
請求項１に記載のシステムであって、マウンティング・ウェルを有するように構成されたドックであって、前記マウンティング・ウェルは、前記ポータブル情報デバイスを受け、解除可能なように固定するよう構成され、前記マウンティング・ウェルは、前記ポータブル情報デバイスの前記マウンティング構造に適合するサイズの外部周囲壁を有する、前記ドックを更に含むシステム。
【請求項３】
請求項２に記載のシステムであって、前記ドックは、対応するドック側電気コネクタ及びドック側データ・コネクタを、前記ドックの前記マウンティング・ウェルの中央領域に更に含む、システム。
【請求項４】
請求項２に記載のシステムであって、前記ポータブル情報デバイスは、磁石により前記ドックに解除可能なように固定される、システム。
【請求項５】
請求項１に記載のシステムであって、前記マウンティング構造は、前記ハウジングの周囲の少なくとも部分に形成されたふちと、前記ふちから前記上面へと上方に広がり、前記ハウジングの周囲の少なくとも部分に広がる、前記マウンティング構造の縮小された周囲壁とを含み、前記縮小された周囲壁は、前記フレームの内部周囲壁の形状と対応する形状を有し、前記ふちは、前記マウンティング構造が前記フレームと係合してその進入が止まるときに前記フレームの底面と接触する、システム。
【請求項６】
請求項５に記載のシステムであって、該システムは、マウンティング・ウェルを有するように構成されたドックであって、前記マウンティング・ウェルは、前記ポータブル情報デバイスを受け、解除可能なように固定するよう構成され、前記マウンティング・ウェルは、前記ポータブル情報デバイスの前記マウンティング構造に適合するサイズの外部周囲壁を有する、前記ドックを更に含み、前記ハウジングは、前記ドックの前記マウンティング・ウェルに、前記フレームが前記ハウジングに結合し前記バンドが前記フレームに結合している間にマウントされるように構成された、システム。
【請求項７】
請求項１に記載のシステムであって、前記光学センサは光エミッタと少なくとも１つの光センサとを含み、前記光エミッタは光をユーザの皮膚に照射するよう構成された、システム。
【請求項８】
請求項７に記載のシステムであって、前記ポータブル情報デバイスの前記底面で前記中央領域の周りに形成され、前記光学センサを取り囲む光シーリング・ガスケットを更に含み、該光シーリング・ガスケットは、前記ユーザの表面に接触して外光が入らないように構成され、それによって、前記光学センサが外光からの干渉なく機能することを可能にする、システム。
【請求項９】
請求項８に記載のシステムであって、前記プロセッサに、前記光学センサからの測定されたバイオメトリック・パラメータを示す信号を受信させ、前記ディスプレイ上に前記測定されたバイオメトリック・パラメータを示すものを表示させるプログラムを更に含むシステム。
【請求項１０】
請求項１に記載のシステムであって、前記凸は、前記ハウジングの周囲側端に形成された、システム。
【請求項１１】
請求項１に記載のシステムであって、前記ある力は、前記ポータブル情報デバイスの表面に加わる、システム。
【請求項１２】
請求項１１に記載のシステムであって、前記ある力が加わる前記表面は、前記ハウジングの前記上面である、システム。
【請求項１３】
ウェアラブル・パーソナル情報システムと共に用いるための方法であって、
ハウジング及びマウンティング構造を有するポータブル情報デバイスを、バンドに結合されたフレームであって、前記ポータブル情報デバイスの前記ハウジングの周囲側端を取り囲む補完的形状を有する前記フレームにおける空洞に、前記ハウジング及びマウンティング構造の前記空洞への進入が、前記ハウジング及びマウンティング構造が前記フレームの表面と接触し、隆起と溝の接続が、前記マウンティング構造上の凸と、前記フレームの表面に形成され前記空洞に通じる開口を有する凹との間に確立されることにより止まるまで挿入するステップであって、前記フレームが前記マウンティング構造に固定されたときに、前記ハウジング及び前記マウンティング構造は前記フレームにある向きで結合し、前記ある向きは、前記ハウジング及び前記マウンティング構造が前記空洞に及び、前記ポータブル情報デバイスのディスプレイが、前記フレーム内に、前記空洞の少なくとも一部を占め、前記空洞から上方へと向くように位置する向きであり、前記ポータブル情報デバイスは、前記バンドに結合された前記フレームに、少なくともある力が加わることに基づく前記凸と前記凹の係合及び係合解除を介して解除可能なように固定される、ステップと、
前記ポータブル情報デバイスのハウジングの上部に力を加えるステップであって、前記隆起と溝の接続を解除し、前記ポータブル情報デバイスを前記フレームの底部側から外すステップと、
前記ポータブル情報デバイスをドックのマウンティング・ウェルに、前記ポータブル情報デバイスが前記マウンティング・ウェルにおいて、前記ポータブル情報デバイスの磁力及び変形するシール部材の一方又は双方により解除可能なように固定され、前記ポータブル情報デバイスの前記ハウジングの底部側に形成された電気コネクタ及びデータ・コネクタが前記マウンティング・ウェルの対応する電気コネクタ及びデータ・コネクタと結合するまで挿入して、充電及びデータ伝送を可能にするステップと
を含む方法。
【請求項１４】
請求項１３に記載の方法であって、
前記バンドをユーザの体の部分の周りに位置付けるステップであって、それによって、前記ポータブル情報デバイスの前記ハウジングの底面に形成された光学センサを前記体の部分の皮膚に近接して位置付け、前記底面で前記光学センサの周りに形成されたガスケットが前記光学センサを外光から遮蔽するステップ
を更に含む方法。
【請求項１５】
請求項１４に記載の方法であって、
前記光学センサを介して前記ユーザのバイオメトリック・パラメータを測定するステップと、
前記バイオメトリック・パラメータを示すものを前記ポータブル情報デバイスのディスプレイに表示するステップと
を更に含む方法。
【請求項１６】
請求項１３に記載の方法であって、前記ポータブル情報デバイスを前記マウンティング・ウェルに挿入するステップは、前記ポータブル情報デバイスが、前記バンドに結合された前記フレームに固定されている間に行われる、方法。
【請求項１７】
請求項１３に記載の方法であって、前記ポータブル情報デバイスを前記マウンティング・ウェルに挿入するステップは、前記ポータブル情報デバイスが前記バンドの前記フレームから解除され分離している間に行われる、方法。
【請求項１８】
請求項１３に記載の方法であって、前記ある力は、前記ポータブル情報デバイスの表面に加わる、方法。
【請求項１９】
請求項１８に記載の方法であって、前記ある力が加わる前記表面は、前記ハウジングの上面である、方法。
【請求項２０】
情報デバイスであって、
ディスプレイにより少なくとも部分的に定まる上面と、中央領域を有するように構成された底面とを含むハウジングであって、前記中央領域において、光学センサと、電気コネクタと、データ・コネクタとが位置し、前記ハウジングは、プロセッサが設けられた内部容積を取り囲み、前記上面及び底面は、それらの間に広がる周囲側端により結合され、前記光学センサは、前記デバイスのユーザのバイオメトリック・パラメータを、前記デバイスを前記ユーザが着用しているときに測定するように構成され、前記データ・コネクタ及び電気コネクタは、ドック上の対応するコネクタと接続して、前記情報デバイスを充電し、データ伝送するように構成された、前記ハウジングと、
前記ハウジングの表面に形成されたマウンティング構造であって、凸を含む前記マウンティング構造と
を有する前記情報デバイスと、
バンドであって、前記バンドにはフレームが結合され、前記フレームは、空洞を取り囲み、前記ハウジングの前記周囲側端を取り囲む補完的な形状を有し、前記フレームは、前記空洞に通じる開口を有する凹を含み、前記フレームは前記マウンティング構造を受けるように構成され、前記フレーム及びマウンティング構造は、隆起と溝の接続を介して、少なくともある力が加わることに基づく前記凸と前記凹の係合及び係合解除により解除可能なように固定可能であり、前記フレームが前記マウンティング構造に固定されたときに、前記ハウジング及び前記マウンティング構造は前記フレームにある向きで結合し、該ある向きは、前記ハウジング及び前記マウンティング構造が前記空洞に及び、前記情報デバイスの前記ディスプレイが、前記フレーム内に、前記空洞の少なくとも一部を占め、前記空洞から上方に向く向きである、前記バンドと
を含むパーソナル情報システムであって、前記マウンティング構造は、前記ハウジングの周囲の少なくとも部分に形成されたふちを含み、前記マウンティング構造の縮小された周囲壁が、前記ふちから前記上面へと上方に広がり、前記ハウジングの周囲の少なくとも部分に広がり、前記縮小された周囲壁は、前記フレームの内部周囲壁の形状に対応した形状を有し、前記ふちは前記フレームの底面に、前記マウンティング構造が前記フレームと係合してその侵入を止める時に接触する、パーソナル情報システム。
【請求項２１】
請求項２０に記載のパーソナル情報システムであって、
マウンティング・ウェルを有するように設けられたドックであって、前記マウンティング・ウェルは、前記情報デバイスを受け、解除可能なように固定するように構成され、前記マウンティング・ウェルは、前記情報デバイスの前記マウンティング構造に適合するサイズの外部周囲壁を有し、前記ドックは、対応するドック側電気コネクタ及びドック側データ・コネクタを、前記ドックの前記マウンティング・ウェルの中央領域に更に含み、前記ドック側電気コネクタ及びドック側データ・コネクタは、前記情報デバイスの前記電気コネクタ及びデータ・コネクタと、前記情報デバイスが前記マウンティング・ウェルに解除可能なように固定されているときにそれぞれ接続するように構成された、前記ドック
を更に含むパーソナル情報システム。
【請求項２２】
請求項２０に記載のパーソナル情報システムであって、前記ある力は、前記情報デバイスの表面に加わる、パーソナル情報システム。
【請求項２３】
請求項２２に記載のパーソナル情報システムであって、前記ある力が加わる前記表面は、前記ハウジングの前記上面である、パーソナル情報システム。
【請求項２４】
ポータブル情報デバイスであって、
ディスプレイにより少なくとも部分的に定められた上面と、中央領域を有する底面であって、前記中央領域において、光学センサ、電気コネクタ及びデータ・コネクタが位置する、前記底面とを含むハウジングであって、前記ハウジングは、プロセッサが設けられた内部容積を取り囲み、前記上面及び底面は、それらの間に広がる周囲側端により結合され、前記光学センサは、ユーザのバイオメトリック・パラメータを、前記デバイスを前記ユーザが着用しているときに測定するように構成された、前記ハウジングと、
前記ハウジングの表面に形成されたマウンティング構造であって、前記ハウジングに形成された凹を含む前記マウンティング構造と
を有する前記ポータブル情報デバイスと、
フレームを有するバンドであって、前記フレームは前記バンドにおける空洞を取り囲み、前記フレームは、前記ハウジングの前記周囲側端を取り囲む補完的形状を有し、前記マウンティング構造を受けるように構成され、前記フレームは、該フレームの側面に形成された凸を含み、前記フレーム及びマウンティング構造は、前記凸と前記凹の係合を介して、前記フレームが前記マウンティング構造に固定されているときに、前記ハウジング及び前記マウンティング構造が前記フレームにある向きで結合するように解除可能なように固定可能であり、前記ある向きは、前記ハウジング及び前記マウンティング構造が前記空洞に及び、前記ポータブル情報デバイスの前記ディスプレイが、前記フレーム内に、前記空洞の少なくとも一部を占め、前記空洞から上方に向くように位置する向きであり、前記ハウジング及びマウンティング構造の前記空洞への進入は、前記ハウジング及びマウンティング構造が前記フレームの表面と接触することにより止まる、前記バンドと
を含むパーソナル情報システム。
【発明の詳細な説明】
【背景技術】
【０００１】
[0001]ますます小さなフォーム・ファクタのポータブル電子デバイスが近年開発されており、それらは、エクササイズやアウトドア活動の間の使用に合わせられている。これらデバイスは、ＧＰＳシステム、高度計及びストップウォッチ等を含み、ランニング、サイクリング（ｂｉｃｙｃｌｉｎｇ）及びスキー等をしている間のユーザのスピード、位置及び時間を記録（ｔｒａｃｋ）することができる。そのようなデバイスの1つの問題は、それらがユーザの汗にさらされ、汚れる可能性があることである。幾つかの先行のデバイスは、洗うことができる取り外し可能フック及びループの締め具のファブリック・リストバンドを組み込んでいるが、洗うために留め具を取り外すことは面倒であり、例えば、繰り返し固定リングに挿入され固定リングから取り外されるにつれ、バンドの摩耗や破損を引き起こすことがある。そのようなデバイスの別の問題は、それらが、典型的には、エクササイズの間、ユーザに時間及び位置情報以外の情報を提示しないことである。ユーザは、エクササイズ間のバイオメトリック・フィードバックを得るために、例えば胸のストラップを用いて、外部心拍センサを接続しなければならなかった。この手法における複数のコンポーネントの使用は、かさばり、エクササイズを落ち着かなくさせることがある。その結果、エクササイズの間のそのようなポータブル電子デバイスの採用は、その可能性ほど広がっていない。
【発明の概要】
【０００２】
[0002]パーソナル情報システムを提供する。システムは、ハウジングを有するポータブル情報デバイスを含むことができ、ハウジングは、少なくとも部分的にディスプレイによって定められる上面と、電気コネクタ及びデータ・コネクタが位置する底面とを含み、プロセッサが設けられる内部容積を囲み、上面と底面とは、その間にわたる周囲側端により結合され、マウンティング構造がハウジングの周囲側端の周りの少なくとも部分に形成されている。システムは更にフレームを含むことができ、フレームは、バンドに接続することができ、空洞を取り囲み、マウンティング構造を受けるように構成され、フレームとマウンティング構造とは、隆起と溝の接続（ａ  ｔｏｎｇｕｅ  ａｎｄ  ｇｒｏｏｖｅ  ｃｏｎｎｅｃｔｉｏｎ）を介して解除可能なように固定可能である。システムは、更に、情報デバイスを接続できるドックを含むことができる。
【０００３】
[0003]この概要は、以下の詳細な説明において更に説明される概念のある選択を単純化した形式で導入するために提供されるものである。この概要は、特許請求する主題事項の鍵となる特徴又は本質的な特徴を特定する意図はないし、特許請求する主題事項の範囲を制限するために使用する意図もない。更に、特許請求する主題事項は、この開示の任意の部分に注記された何れかの又は全ての不利益を解消する実施に限られるわけではない。
【図面の簡単な説明】
【０００４】
【図１】本発明のある実施形態に従う、パーソナル情報システムの部分的な斜視図であり、パーソナル情報システムは、バンドのフレームに結合した情報デバイスを含んでいる。
【図２】図１のパーソナル情報システムの部分的な分解組立斜視図であり、バンドのフレームから取り外された情報デバイスを示している。
【図３】図１のパーソナル情報システムの情報デバイスを示す斜視図であり、フレーム及びバンドを情報デバイスに結合させながら、情報デバイスはドックの第１実施形態に結合されている。
【図４】情報デバイスが取り外された図３のドックを示す斜視図である。
【図５】図１の情報デバイスの底部側の図である。
【図６】図１の情報デバイスの上部側の図である。
【図７】図１の情報デバイスの後部側の図である。
【図８】図１の情報デバイスの前部側の図である。
【図９】図１の情報デバイスの右側の図である。
【図１０】図１の情報デバイスの左側の図である。
【図１１】情報デバイスが取り外された、ドックの第２実施形態の斜視図である。
【図１２】図１１のドックの底部の図である。
【図１３】一実施形態に従う、パーソナル情報システムを用いる方法のフロー・ダイアグラムである。
【発明を実施するための形態】
【０００５】
[0017]図１は、ウェアラブル・パーソナル情報システム１０を図解している。パーソナル情報システム１０はポータブル情報デバイス１２を含み、ポータブル情報デバイス１２は、ウェアラブル・バンド１６に結合されたフレーム１４において解除可能なように固定されるよう設計され、ウェアラブル・バンド１６は、幾つかの実施形態では弾性を有し得る。図２に示すように、情報デバイス１２はフレーム１４から、例えばユーザの手の力Ｆにより取り外すことができ、それにより、バンドをエクササイズ後に洗うことが可能となる。また、ポータブル情報デバイス１２は、後で説明するように、充電及び外部コンピューティング・デバイスとのデータ伝送のために、フレーム１４とバンド１６とを取り付けたまま又は取り付けずに、ドックにマウントすることができる。
【０００６】
[0018]図１及び２に関して続けると、情報デバイス１２はハウジング１８を有し、ハウジング１８は、ディスプレイ２２により少なくとも部分的に定まる上面２０を含む。描写した実施形態において、ディスプレイ２２は、フレーム１４において解除可能なように固定されたときに、取り囲むフレーム１４の上面２４と同一平面にあるように構成される。代替実施形態において、ディスプレイは、フレーム１４の上面２４から盛り上がる（ｅｘｔｅｎｄ  ｐｒｏｕｄ  ｏｆ）ことがあるか、又は、フレーム１４の上面２４からある間隔下にはめ込まれることがある。また、ボタン２６をハウジング１８に設けて、デバイスをオンオフするか、又は、タイマー、ストップウォッチ等の他の機能のユーザ・コントロールを提供することができる。
【０００７】
[0019]情報デバイス１２をバンド１６のフレーム１４に解除可能に固定するために、マウンティング構造２８がハウジングに設けられ、フレーム１４から解除可能に分離させる。マウンティング構造２８は、ハウジング１８の周囲側端３０の周りの少なくとも部分（描写した実施形態では全体）に形成されている。マウンティング構造２８は、フレーム１４の周囲側端３０の周りの少なくとも部分に形成されたふち（ｌｉｐ）３２を含む。ふち３２は、実質的に垂直な縮小された周囲壁３４から広がり、また実質的に垂直な拡大された周囲壁３６及び実質的に水平なレッジ（ｌｅｄｇｅ）３８を含み、それらの各々は、ハウジング１４の周囲側端３０の周りの少なくとも部分（描写した実施形態では全体）にわたっている。拡大された周囲壁３６は、弾性的に変形可能なシール部材３９、典型的には可撓プラスチック又はゴム等の弾性材料からつくられたもので覆うことができ、弾性的に変形可能なシール部材３９は、後述するように、情報デバイスをドック５０に固定することを助けるものである。情報デバイス１２の周囲側端３０は、フレーム１４の内部周囲壁４２の形状に対応する形状を有することが理解されよう。マウンティング構造のふち３２に対して他の形状が可能であり、例えば、レッジ３６を水平から下向き又は上向きに角度をつけることができ、拡大された周囲壁３８を、垂直ではなく内向きに角度をつけ、空洞４０に向かい傾斜するようにすることができる。
【０００８】
[0020] 情報デバイス１２をバンド１６のフレーム１４に解除可能なように固定するため、情報デバイス１２は、フレーム１４に取り囲まれる空洞４０の底部側から挿入される。フレームの内側周囲壁４２は周囲側端３０の形状に対応する形状を有するように構成され、従って、フレーム１４は情報デバイス１２をぴったりと受けるように構成される。これを達成するために、縮小された周囲壁３４は、レッジ３８がフレーム１４の底面４３に接触し、隆起と溝の接続がフレーム１４とマウンティング構造２８とを係合させるまで、内部周囲壁４２内をスライドするサイズである。フレーム１４の内部周囲壁４２の底面４３とふち３２のレッジ３８との接触は、情報デバイス１２のフレーム１４への進入を所定のポイントで止め、典型的には、フレームの上面２０がフレーム１４の上面２４と同一平面となるようにする。
【０００９】
[0021]描写した実施形態において、隆起と溝の接続は、マウンティング構造２８の縮小された周囲壁３４に形成された凸４４と、フレーム１４の内部周囲壁４２に形成された凹４６との係合によって形成される。他の実施形態においては他の構成、例えば、凸４４がフレームに形成され凹４６が情報デバイスに形成されるか、又は、その混合が可能である。描写した実施形態においては、凸４４のペアが実質的に正方形のハウジング１８の反対の２つの側の各々に形成され、凹のペアがフレームの内部周囲壁４２の向かい合う２つの側の各々に形成される。他の実施形態において、凸４４及び凹４６のサイズ、数及び位置は異なり得る。例えば、ただ１つの凹凸ペアをフレーム１４及びハウジング１８の向かい合う側の各々に形成することができるか、又は、凹／凸をハウジング１８／フレーム１４の４つの側の各々に形成することができる。
【００１０】
[0022]図３に図解されるように、パーソナル情報システム１０は、更に、情報デバイス１２を受け、解除可能なように固定するよう構成されたドック５０の第１実施形態を含む。情報デバイス１２は、フレーム１４及びバンド１６を結合したまま、又は、結合を解除しフレーム１４及びバンド１６から離した後に、ドック５０において固定することができる。描写した実施形態において、ドック５０はベース部分５２及び直立部分５４を含む。ベース部分５２は、テーブル等の水平面に載せるように構成された実質的に水平の底面を含み、直立部分５４は、垂直をわずかに超えて角度がつけられており、情報デバイス１２のディスプレイ２２を上向きの角度にして、ユーザにディスプレイの便利なビューを提供するようにしている。ベース部分５２及び直立部分５４は、金属又はプラスチックであり得る単一ピースの材料から、示しているようにベース部分５２と直立部分５４との間の曲げを形成することにより製造することができる。
【００１１】
[0023]ドック５０からはコード５６が延びている。コード５６は、取り外し可能及び交換可能の一方又は双方であることができ、電源コード、電力及びデータを伝送するＵＳＢコード等であり得る。よって、コードは、電源５５を用いた充電のための電気接続を確立することができ、同じコード又は異なるコードは、外部コンピューティング・デバイス５７とのデータ接続を確立することができる。他の実施形態において、ワイヤレス・データ接続５９を情報デバイス１２と外部コンピューティング・デバイス５７との間に直接、又は、ドック５０と外部コンピューティング・デバイス５７との間に確立することができ、コードのデータ接続を省略することができる。
【００１２】
[0024]図４に示すように、ドック５０はマウンティング・ウェル５８を有するように構成することができ、マウンティング・ウェル５８は、情報デバイス１２を受け、解除可能なように固定するよう構成されている。マウンティング・ウェル５８は外部周囲璧６０を有し、外部周囲璧６０は情報デバイス１２のマウンティング構造２８に適合するサイズである。マウンティング・ウェル５８は曲がりを有し、曲がりは、例えば図７に示す、情報デバイス１２の底面６１の曲がりの鏡像である。拡大された周囲璧３８に形成された弾力的に変形するシール部材３９は、マウンティング・ウェルの外部周囲璧６０内に、シール部材３７がわずかに変形することによりぴったりとフィットして、情報デバイスのマウンティング・ウェル５８による引っ掛かりが確実なようにする。このフィットは、情報デバイスが偶然にマウンティング・ウェルから落ちることを防ぐのに十分タイトでありながら、ユーザは、使用のため、情報デバイス１２をつかみ、マウンティング・ウェル５８から引き抜くことによって保持力に容易に打ち勝つことができる。
【００１３】
[0025]図４に戻ると、ドック５８は、更に、ドック５０のマウンティング・ウェル５８の中央領域６６に、ドック側電気コネクタのペアと、ドック側データ・コネクタ６４のペアとを含む。そのようなコネクタの各ペアを図解しているが、各タイプのコネクタの各々の１つ又は２つより多くを、代替として設けることができることが理解されよう。例えば、中央領域６６は、角丸正方形、長方形、円その他曲線の又は多角形の形状の中央領域であることができ、マウンティング・ウェル５８自身の幅の１／３から１／２の幅であり且つ高さの１／３から１／２の高さである。更に、ドック側電気コネクタ６２及びドック側データ・コネクタ６４は中央領域６６にまとめられて示されているが、他の実施形態では、まとめられるのではなく、ある間隔で離すこと及び中央領域６６の外側の他の場所に位置することの一方又は双方ができることが理解されよう。更に、中央領域６６は、図解した以外のサイズ及び形状で形成することができる。情報デバイス１２の底面から盛り上がる光学センサ７６に適合するように、くぼみ６８を設けることができる。
【００１４】
[0026]情報デバイスのボタン２６に適合するように、マウンティング・ウェル５８の周囲璧６０にノッチ７０を設けることができる。マウンティング・ウェル５８は、全てを又は部分的に、金属又は金属と覆うプラスチックから製造することができ、従って、磁力を用いることにより情報デバイス１２を解除可能なように固定するよう構成することができる。この目的で、図５に示す描写した実施形態では、情報デバイスの底面６１に隣接して磁石７２を設けている。代替的に、磁石７２は、ドック５０に又は双方のコンポーネントに設けることができる。
【００１５】
[0027]図５は、情報デバイス１２のハウジング１８の底面６１の詳細な構成を図解している。底面６１は中央領域７４を有するように構成され、中央領域７４には、光学センサ７６、１以上の電気コネクタ７８及び１以上のデータ・コネクタ８０が位置することができる。光学センサ７６、電気コネクタ７８及びデータ・コネクタ８０は中央領域７４まとめられて示されているが、他の実施形態では、まとめられるのではなく、ある間隔で離すこと及び中央領域７４の外側の他の場所に位置することの一方又は双方ができることが理解されよう。更に、中央領域７４は、図解した以外のサイズ及び形状で形成することができることが理解されよう。光学センサ７６は光エミッタ８２と１以上の光センサ８４とを含む。情報デバイス１２をユーザが着用すると、光エミッタ８２はユーザの皮膚に光を照射するように構成され、光センサ８４はエミッタからの光の反射を感知してユーザのバイオメトリック・パラメータを測定するように構成されている。幾つかの実施形態では、光学センサ７６は省略されることがある。
【００１６】
[0028]情報デバイス１２は、更に、情報デバイス１２の底面６１で中央領域７４の周りに、光センサ７６を取り囲むように形成された光シーリング・ガスケット８６を含むことができる。情報デバイス１２をユーザが着用すると、光シーリング・ガスケット８６は、ユーザに皮膚の表面に接触して、実質的に外光が入らないように（ｓｅａｌ  ｏｕｔ  ｅｔｅｒｎａｌ  ｌｉｇｈｔ）構成され、それによって、光センサ７６は実質的に外光からの干渉なく機能することが可能である。光シーリング・ガスケット８６は、典型的には、弾力的に変形可能な弾性材料、例えばゴムからできている。描写した実施形態において、光シーリング・ガスケット８６は、底面６１から盛り上がるように形成されている。代替的に、光シーリング・ガスケットは底面と実質的に同一平面であることができ、中央領域７４は底面６１に関してわずかにはめ込まれていることができる。
【００１７】
[0029]情報デバイス１２が上述のようにドック５０に取り付けられると、情報デバイス１２の電気コネクタ７８及びデータ・コネクタ８０は、対応する１以上のドック側電気コネクタ６２及び１以上のドック側データ・コネクタ６４に接続されるように構成され、それによって、ポータブル情報デバイスを電源５５を用いて充電し、データを外部コンピューティング・デバイス５７に伝送するようになっている。上述したように、幾つかの実施形態においては、電気接続のみを設け、データ接続をワイヤレスに達成することができる。
【００１８】
[0030]図６は、情報デバイス１２の上面２０を図解し、一方、図７、８、９及び１０は、それぞれ、情報デバイス１２の周囲側面３０の左側、前側、右側、後側を図解している。ハウジング１４の上面２０、底面６１及び周囲側面３０は、集合的に内部容積を囲み、内部容積には、図６に図解されているように、プロセッサ及び関連メモリ、通信インターフェース、データ・バス並びに内部コンパスを有するＧＰＳユニットが設けられている。通信インターフェースは、データを１以上のデータ・コネクタ８０を介して送受信するように構成され、それによって、外部コンピューティング・デバイスと通信する。プロセッサは、メモリ及び通信インターフェースと通信バスを介して通信し、メモリに記憶されたプログラムを、メモリの部分を用いて実行するように構成されている。また、１以上の電気コネクタを介した充電可能バッテリーをハウジング内に設けることができる。プログラムは、光学センサ７６、データ・コネクタ８０、ボタン２６、タッチ・ディスプレイ２２、及び、内部コンパスを有するＧＰＳユニット等の他のソースからの入力を受け、プログラムのルールに従い入力を処理し、適当な出力をディスプレイ２２に表示する。情報デバイス１２のメモリに記憶されたプログラムの特定の例を、以下に与える。
【００１９】
[0031]図１に図解したように、情報デバイス１２のプロセッサにより実行することのできる１つのプログラムは、ディスプレイ２２にグラフィカル・ユーザ・インターフェースを表示するように構成されている。上述したように、ディスプレイ１８は、ユーザからのタッチ入力を受けるようにタッチセンサー式のスクリーンであることができる。従って、ディスプレイ１８は、ユーザからのタッチ入力を受けて、プログラムの異なる機能を選択するように構成され、それによって、異なるデータ等を表示する。プロセッサで実行されるプログラムは、測定されたバイオメトリック・パラメータを示す光学センサからの信号を受信し、測定されたバイオメトリック・パラメータを示すものをディスプレイに表示するように構成される。描写した実施形態において、ランニング・アイコンを選択することにより、プログラムは現在のランニング距離（１７．２ｋｍ）を表示させ、現在のランニング距離は、情報デバイス１２のＧＰＳユニットによって記録される。ハート・アイコンの押下により、プログラムはユーザの現在の脈拍を表示させる。ファイア・アイコンの押下により、プログラムは、現在のワークアウト・セッションの間にユーザにより消費されたカロリーの見積もりを表示させる。他の機能を有するプログラムも設けることができることは理解されよう。例えば、ミュージック・リスニング・プログラム、アラーム・クロック・プログラム、メッセージング・プログラム及び電話プログラムを更に設けることができる。
【００２０】
[0032]図１１及び１２は、ドック９０の第２実施形態を図解しており、第２実施形態は、情報デバイスを受け、解除可能なように固定するよう構成されている。図１１は周囲璧８７を有するドック９０を示しており、周囲璧８７は、内部周囲璧８８と外部周囲璧８９とを含む。図１１では平らに置かれたドックを示しているが、ドックは、外部周囲璧８９の側端に関して直立させて置くことができる。この向きで、ドック９０は、フレーム及びバンドに結合されたとき、又は、結合が解除されこれらエレメントから離れたときに、情報デバイス１２を受けることができる。
【００２１】
[0033]図１１は、マウンティング・ウェル９１を有するドック９０を示しており、マウンティング・ウェル９１は内部周囲璧８８から部分的に構成されており、内部周囲璧８８は、情報デバイス１２を受け、解除可能なように固定するよう構成されている。マウンティング・ウェル９１は、情報デバイス１２の底面６１（図７）のサイズ及び曲がりと一致するように形成されている。ノッチ９７を周囲璧８７は含むことができ、ドックに固定されたときに情報デバイス１２のボタン２６のためのスペースを与えている。マウンティング・ウェル９１は中央領域９２を含み、中央領域９２は、例えば図５に示す、情報デバイス１２の底面６１の中央領域７４に適合するように形成されている。ドック９０のマウンティング・ウェル９１内の中央領域９２は、ドック側電気コネクタ９３と、ドック側データ・コネクタ９１のペアとを含む。情報デバイス１２の底面６１から盛り上がる光学センサ７６（図５）を取り囲み保護するよう、くぼみ９５を含むことができる。電気コネクタ９３及びデータ・コネクタ９４は、情報デバイス１２の底面６１の電気コネクタ７８及びデータ・コネクタ８０と対応し接続する、適切な数及び配置で存在することができることが理解されよう。
【００２２】
[0034]図３及び４の第１のドックの実施形態を参照して前述したように、情報デバイス１２は、磁力又ははめ込みロック機構（ｓｎａｐ  ａｎｄ  ｌｏｃｋ  ｍｅｃｈａｎｉｓｍ）等により、ドック９０に解除可能なように固定することができる。磁石７２を、情報デバイス１２内に含まれるものとして図５では示しているが、ドック９０又は双方のコンポーネントに設けることができる。また、ドック９０は部分的に金属から構築し、ドック９０と情報デバイス１２との間の磁力での取り付けが可能なようにすることができる。ドック９０は、プラスチック若しくはゴム等の滑らかで連続的な材料、別の材料又はこれらの組み合わせから構築することができる。幾つかの実施形態において、ドック９０の材料は弾性的又は弾力的であることができ、情報デバイス１２がマウンティング・ウェル９１に挿入されたときに、情報デバイス１２の拡大された周囲璧３６は、マウンティング・ウェル９１の内部周囲璧８８の材料とインターフェースし、更にデバイスを固定することができる。そのようなインターフェースは、はめ込みロック機構として構成された機能であることができ、はめ込みロック機構は、ユーザが情報デバイスをマウンティング・ウェルのロックされる位置に「はめ込む」ことを可能にする。磁力及びインターフェース構造の一方または双方の保持力は、情報デバイス１２をドック９０内に解除可能なように固定する。しかし、保持力には、ユーザが情報デバイス１２をつかみマウンティング・ウェル６１から引き抜くことにより容易に打ち勝つことができる。
【００２３】
[0035]図１１に示すように、コード９８がドック９０から延びている。図１２は、コード９８がドック９０から取り外し可能であり、ドックの外部周囲璧８９に設置されたコネクタ９９が見える例を提供している。コネクタ９９は、マイクロＵＳＢコネクタ、ＵＳＢコネクタ又は他のコネクタであることができる。コード９８及びコネクタ９９は、電源５５を用いた充電のための電気接続を確立することができ、同じコネクタ及びコード又は異なるコードは、外部コンピューティング・デバイス５７とのデータ接続を確立することができる。図３に示すように、ワイヤレス・データ接続５９を情報デバイス１２と外部コンピューティング・デバイス５７との間に直接確立することができる。また、ドック９０は、外部コンピューティング・デバイス５７とのワイヤレス・データ接続５９を有するように構成することができる。
【００２４】
[0036]図１３は、パーソナル情報システムと共に使用するための方法１００を図解している。方法は、上述したようなパーソナル情報システム又はその他の適切なハードウェア・システムを用いて実施することができる。１０２で、方法は、ポータブル情報デバイスを、バンドに結合されたフレームの底部側の空洞に、ポータブル情報デバイスのフレームへの進入が、ポータブル情報デバイスのマウンティング構造に形成されたふちと、フレームの内部周囲璧の底面とが接触し、隆起と溝の接続がマウンティング構造とフレームとの間に確立することによって止まるまで挿入するステップであって、それによって、ポータブル情報デバイスをバンドに結合されたフレームに解除可能なように固定するステップを含む。
【００２５】
[0037]１０４で、方法は、更に、ユーザの体の部分の周りにバンドを位置付けるステップであって、それにより、ポータブル情報デバイスの底面に形成された光学センサを体の部分の皮膚に近接して位置付け、底面で光学センサの周りに形成されたガスケットが外光から光学センサを遮蔽するステップを含む。１０６で、方法は、更に、ユーザのバイオメトリック・パラメータを光学センサを介して測定するステップを含む。１０８で、方法は、更に、心拍数等のバイオメトリック・パラメータを示すものをポータブル情報デバイスのディスプレイに表示するステップを含む。
【００２６】
[0038]１１０で、方法は、更に、ポータブル情報デバイスのハウジングの上面に力を加えて、隆起と溝の接続を解除し、ポータブル情報デバイスをフレームの底部側から外すステップを含む。１１２で、方法は、更に、ポータブル情報デバイスを、ドックのマウンティング・ウェルまで、ポータブル情報デバイスがマウンティング・ウェルに解除可能なように固定され、ポータブル情報デバイスの底部側に形成された電気コネクタ及びデータ・コネクタがマウンティング・ウェルの対応する電気コネクタ及びデータ・コネクタと結合するまで挿入して、充電及びデータの伝送を可能にするステップを含む。ポータブル情報デバイスは、マウンティング・ウェルに、磁力又ははめ込みロック機構等の別の固定力によって固定することができる。ポータブル情報デバイスは、ポータブル情報デバイスをバンドのフレームに固定しながら、又は、固定を解除しポータブル情報デバイスをバンドのフレームから離しながら、マウンティング・ウェルに挿入することができる。
【００２７】
[0039]上述のシステム及び方法は、ウェアラブル・パーソナル情報システムに対する便利なアプローチを提供し、ウェアラブル・パーソナル情報システムはマウンティング構造を有するポータブル情報デバイスを含み、マウンティング構造は、フレーム及びバンドに取り付けること並びに関連するドックに取り付けることの双方を可能にするものである。これは、エクササイズの後に、フレーム及びバンドを洗うために、また情報デバイスをバンドを取り付けたまま又は取り付けないでドックに保管するために、ユーザがフレーム及びバンドを情報デバイスから便利に取り外すことを可能にし、ドックは、情報デバイスを使用していない間に充電し可能であればデータ転送することを容易にすることが可能なものである。
【００２８】
[0040]上述の実施形態に対する様々な変形が可能であることが理解されるであろう。例えば、フレーム１４は、バンドに取り付けられていないが、エクササイズ・デバイスに結合されたポータブル・スタンド等の別のコンポーネントに取り付けられて提供することができる。更に、複数のそのようなフレーム及び関連するコンポーネントを提供し、ユーザが１つの情報デバイスを複数の状況で使用可能にすることができる。例えば、ユーザは、使用していないときに情報デバイスをドックに格納し、フレーム及びバンドに取り付けた情報デバイスと共に外を走り、又は、ポータブル・スタンドの一部である別のフレームに結合された、情報デバイスが乗るトレッドミル上で走ることができる。そのようなポータブル・スタンドは、自転車、ステア・クライマー、エリプティカル・トレーナー等を含む様々な設備に設けることができる。
【００２９】
[0041]ここに用いるように、用語「プロセッサ」はロジック回路を記載し、ロジック回路は、特定用途向け集積回路（ＡＳＩＣ）、結合プログラム可能論理回路（ＣＰＬＤ）、システムオンチップ（ＳＯＣ）、中央処理装置（ＣＰＵ）又は他のタイプのプロセッサを含むことがあることは理解されよう。メモリは、ＦＬＡＳＨメモリ又は電気的消去可能プログラム可能メモリ（ＥＥＰＲＯＭ）等の永続的メモリ及びＲＡＭ等の揮発性メモリの双方を含むことがある。幾つかの実施形態では、データを転送するために、ＳＤカード等の取り外し可能コンピュータ可読メディアを設けることができる。
【００３０】
[0042]また、ここに用いるように、用語「プログラム」は、メモリに記憶され、プロセッサにより実行されて、特定の機能を実行する命令を記載していることが理解されるであろう。用語「プログラム」は、実行可能ファイル、データ・ファイル、ライブラリ、ドライバ、スクリプト、データベース・レコード等の個別のもの又はグループを含むことがある。
【００３１】
[0043]ここに記載した構成及びアプローチの一方または双方は、実際には例示であり、様々な変形が可能であるため、これら特定の実施形態又は例は、要旨を限定するものと考えるべきではない。ここに記載した特定のルーチン又は方法は、任意の数のプロセッシング・ストラテジの１以上を表すことができる。従って、図解及び記載の一方又は双方をした様々な動作は、図解及び記載の一方若しくは双方をしたシーケンスで、他のシーケンスで、並列に又は省略して実行することができる。同様に、上述したプロセスの順番を変更することができる。
【００３２】
[0044]本開示の主題事項は、ここに開示する、様々なプロセス、システム及び構成、他の特徴、機能、動作及び性質のうちの１以上、並びに、それらの等価物の全ての新規な及び進歩性ある組み合わせ及びサブコンビネーションを含む。
【図１】
0006317750.tif 000002
【図２】
0006317750.tif 000003
【図３】
0006317750.tif 000004
【図４】
0006317750.tif 000005
【図５】
0006317750.tif 000006
【図６】
0006317750.tif 000007
【図７】
0006317750.tif 000008
【図８】
0006317750.tif 000009
【図９】
0006317750.tif 000010
【図１０】
0006317750.tif 000011
【図１１】
0006317750.tif 000012
【図１２】
0006317750.tif 000013
【図１３】
0006317750.tif 000014